(57)【要約】【課題】ワイヤハーネス分岐部に隙間なくスムーズに巻き付ける保護シートを提供する。【解決手段】樹脂製の矩形状のシートからなり、長さ方向の一端の中間位置から長さ方向の中間位置まで１本の横スリットと、該横スリットの切込端から幅方向両側に向かう縦スリットとからなるＴ字状の切込みを設け、長さ方向の一側部に前記横スリットにより幅方向で分割した２つの枝線巻付片と、長さ方向の他側部に１つの幹線巻付片を設け、該幹線巻付片と前記各枝線巻付片の分岐点側端縁を前記縦スリットで分割し、かつ、幅方向の両端縁に沿ってそれぞれ接着面を設け、前記幹線巻付片には幅方向両側縁に前記接着面を設けていると共に、前記各枝線巻付片には前記横スリット反対側の外側縁に前記接着面を設けている。【選択図】図３
2014204464.tif 000002
【特許請求の範囲】
【請求項１】
樹脂製の矩形状のシートからなり、長さ方向の一端の中間位置から長さ方向の中間位置まで１本の横スリットと、該横スリットの切込端から幅方向両側に向かう縦スリットとからなるＴ字状の切込みを設け、
長さ方向の一側部に前記横スリットにより幅方向で分割した２つの枝線巻付片と、長さ方向の他側部に１つの幹線巻付片を設け、該幹線巻付片と前記各枝線巻付片の分岐点側端縁を前記縦スリットで分割し、かつ、
幅方向の両端縁に沿ってそれぞれ接着面を設け、前記幹線巻付片には幅方向両側縁に前記接着面を設けていると共に、前記各枝線巻付片には前記横スリット反対側の外側縁に前記接着面を設けており、
ワイヤハーネスの幹線に前記幹線巻付片の両側を折り返して巻き付けると共に、前記枝線に前記枝線巻付片を前記横スリットの端縁側から巻き付け、巻き付け状態で前記接着面で接着するものであるワイヤハーネス分岐部の保護シート。
【請求項２】
前記横スリットの形成位置は、幹線から分岐する２本の枝線の外径に対応させ、各枝線の全周に前記２つの各枝線巻付片が巻き付けられる幅となるように設定している請求項１に記載のワイヤハーネス分岐部の保護シート。
【請求項３】
前記横スリットの先端に上下に連続させて設ける前記各縦スリットの長さは、前記枝線巻付片の幅の３０〜５０％とし、前記幅方向の両端縁に設ける接着面の幅は外端縁から３０％以下とし、前記接着面と前記縦スリットの先端とを接触させていない請求項１または請求項２に記載のワイヤハーネス分岐部の保護シート。
【請求項４】
前記縦スリットの先端に亀裂防止用の小径円形穴を設けている請求項１乃至請求項３のいずれか１項に記載のワイヤハーネス分岐部の保護シート。
【請求項５】
請求項１乃至請求項４のいずれか１項に記載の保護シートが前記分岐部に巻き付けられているワイヤハーネス。
【発明の詳細な説明】
【技術分野】
【０００１】
本発明はワイヤハーネス分岐部の保護シートおよび該保護シートが巻き付けられたワイヤハーネスに関し、詳しくは、ワイヤハーネスの幹線から枝線がＴ字状あるいはＹ字状に分岐した場合に、１枚の保護シートにより分岐位置で隙間をあけることなくワイヤハーネスの電線群を保護できるようにするものである。
【背景技術】
【０００２】
この種のワイヤハーネスの分岐部に保護シートを巻き付けて分岐部の電線を保護する保護シートとして、特開２０１１−１９９９９２号公報で、図７および図８に示すような切り込みを入れた正方形のシート１００が提供されている。該シート１００は縦方向（Ｙ方向）の中間位置に横方向（Ｘ方向）の両端から左右一対の横スリット１０１、１０２を入れると共に、該横スリット１０１と１０２で分割される下半側部１１０の中央部に左右一対の縦スリット１０３、１０４を設けている。該下半側部１１０の下側縁に沿って接着面１２１を設けると共に、上半側部１１１の左側縁に接着面１２２を設けている
【０００３】
シート１００は図８（Ａ）〜（Ｆ）に示す手順で、スリット１０１〜１０４で分割された部位を折り返し、接着面１２１、１２２で折り返した部位を接着して、ワイヤハーネス２００のＴ字分岐部に巻き付け、ワイヤハーネス２００の幹線２００Ａおよび枝線２００Ｂをシート１００で保護している。
【先行技術文献】
【特許文献】
【０００４】
【特許文献１】特開２０１１−１９９９９２号公報
【発明の概要】
【発明が解決しようとする課題】
【０００５】
前記特許文献１のシート１００では、縦スリット１０３、１０４の先端と横スリット１０１、１０２の間の寸法が幹線２００Ａの電線径に正確に一致しないと、図９に示すように、巻き付け状態で隙間Ｃが発生しやすい。よって、隙間を発生させないように時間をかけて巻き付ける必要があり、シート巻付作業に手数がかかる問題がある。言い換えれば、シート１００に設けるスリット１０１〜１０４を巻き付けるワイヤハーネスの分岐部の寸法に合わせて精度よく形成する必要があり、シート１００は巻き付けるワイヤハーネス毎の専用品となり、部品点数が増える問題がある。
【０００６】
さらに、枝線２００Ｂが幹線２００Ａに対して略垂直方向に分岐するＴ字分岐であれば、隙間Ｃを小さく押さえることは可能であるが、枝線２００Ｂが傾斜してＹ字分岐となると、大きな隙間Ｃが発生する。
【０００７】
本発明は前記問題を解消せんとするもので、分岐部で隙間が発生しにくく、かつ、ワイヤハーネスの径が多少相違しても共用化できると共に、Ｔ字分岐とＹ字分岐にも共用で用いられるワイヤハーネス分岐部の保護シートを提供することを課題としている。
【課題を解決するための手段】
【０００８】
前記課題を解決するため、本発明は、樹脂製の矩形状のシートからなり、長さ方向の一端の中間位置から長さ方向の中間位置まで１本の横スリットと、該横スリットの切込端から幅方向両側に向かう縦スリットとからなるＴ字状の切込みを設け、
長さ方向の一側部に前記横スリットにより幅方向で分割した２つの枝線巻付片と、長さ方向の他側部に１つの幹線巻付片を設け、該幹線巻付片と前記各枝線巻付片の分岐点側端縁を前記縦スリットで分割し、かつ、
幅方向の両端縁に沿ってそれぞれ接着面を設け、前記幹線巻付片には幅方向両側縁に前記接着面を設けていると共に、前記各枝線巻付片には前記横スリット反対側の外側縁に前記接着面を設けており、
ワイヤハーネスの幹線に前記幹線巻付片の両側を折り返して巻き付けると共に、前記枝線に前記枝線巻付片を前記横スリットの端縁側から巻き付け、巻き付け状態で前記接着面で接着するものであるワイヤハーネス分岐部の保護シートを提供している。
【０００９】
前記のように、本発明の保護シートは、横長なシートに長さ方向一端の中間部から横向きＴ字状のスリットを入れ、該Ｔ字状のスリットの横スリットで一対の枝線巻付片を分離して設けると共に、該枝線巻付片と幹線巻付片とを分岐位置で縦スリットにより分離している。
該保護シートの幹線巻付片に幹線を載せ、枝線巻付片にそれぞれ枝線を載せ、各枝線巻付片を枝線の外周に横スリット側の端縁から巻き付けていくと、幹線巻付片側と縦スリットにより分離されているため、幹線との分岐点から捩れを発生させずに無理なく巻き付けることができる。かつ、巻き付け後に枝線巻付片の外縁側に設けた接着面を巻き付けた部分の外周面に押し当てることで巻き付け状態に接着保持できる。一方、幹線巻付片は幅方向両側の一対の枝線巻付片の巻き付け時に、幅方向の両側端から互いに突き合わせ状態で二つ折りにされ、幹線を上下両側部で挟む状態で巻き付けることができる。
このように、横スリットの先端に縦スリットをＴ字状に設け、枝線巻付片を分離して設けると共に、これら枝線巻付片と幹線巻付片を境界ラインで前記縦スリットで一部分離しているため、分岐点から枝線巻付片および幹線巻付片を捩れを発生させることなくスムーズに巻き付けることができ、かつ、分岐点を含めて電線が外部に露出する隙間を発生させないように巻き付けることできる。
【００１０】
また、各枝線巻付片は他の枝線巻付片および幹線巻付片と前記縦スリットおよび横スリットで分離しているため、枝線に枝線巻付片を巻き付けた後に分岐点から所要角度で無理なく開いて、Ｙ字分岐、Ｔ字分岐とすることができると共に、開いた状態でも分岐点に隙間が発生せず、分岐点での電線の露出を防止できる。即ち、２本の枝線を幹線からＹ字分岐で分岐させることができ、かつ、一方の枝線を幹線と略直線状に配置し、他方の枝線を直角方向に配置することでＴ字分岐とすることができる。
【００１１】
前記横スリットの形成位置は、幹線から分岐する２本の枝線の外径に対応させ、各枝線の全周に前記２つの各枝線巻付片が巻き付けられる幅となるように設定している。
また、枝線巻付片の長さは枝線が必要とする長さとし、幅方向の両側に設ける一対の枝線巻付片の長さを相違させることも容易にできる。例えば、枝線端末まで枝線巻付片を延在させると、テープ巻きしたり、チューブに通す等の他の外装を不要にできる。
【００１２】
前記横スリットの先端に上下に連続させて設ける前記各縦スリットの長さは、前記枝線巻付片の幅の３０〜５０％とし、前記幅方向の両端縁に設ける接着面の幅は外端縁から３０％以下とし、前記接着面と前記縦スリットの先端とを接触させないことが好ましい。
【００１３】
また、前記縦スリットの先端に亀裂防止用の小径円形穴を設けていることが好ましい。
【００１４】
さらに、本発明は前記保護シートを分岐部に巻き付けているワイヤハーネスを提供している。
【発明の効果】
【００１５】
前記のように、本発明に係わるワイヤハーネス分岐部の保護シートによれば、矩形状の保護シートに長さ方向の一端の中間部から横向きＴ字状のスリットを設け、各枝線巻付片と幹線巻付片を分岐部分では分離しているため、各枝線巻付片および幹線巻付片を分岐部で捩れを発生することなくきっちりと巻き付けることができる。その結果、分岐部で隙間が発生せず、電線の露出を防止でき、かつ、枝線同士及び枝線と幹線とを任意の角度で開くように曲げても分岐部で電線が露出せず、Ｙ字分岐およびＴ字分岐等に共用で用いることができる。
【図面の簡単な説明】
【００１６】
【図１】本発明の実施形態の保護シートでワイヤハーネスのＹ字分岐部を保護した状態を示す斜視図である。
【図２】前記保護シートを展開した状態の平面図である。
【図３】（Ａ）〜（Ｆ）は保護シートの巻付手順を説明する図面である。
【図４】（Ａ）（Ｂ）は第１変形例を示す図面である。
【図５】第２変形例の保護シートの平面図である。
【図６】第３変形例の保護シートの平面図である。
【図７】従来例の保護シートの平面図である。
【図８】（Ａ）〜（Ｆ）は前記従来例の保護シートの巻付手順を示す図面である。
【図９】前記従来例の問題点を示す図面である。
【発明を実施するための形態】
【００１７】
以下、本発明の実施形態を図面を参照して説明する。
図１乃至図３に実施形態を示す。
本実施形態は車両に配索するワイヤハーネス１のＹ字の分岐部Ｐ−１に保護シート２を巻き付けて保護している。
【００１８】
保護シート２は図２に示す形状で、樹脂製（本実施形態では塩化ビニル製）の可撓性を有する矩形状のシートからなり、該シートは帯状の連続シートを切断して所要の長さとしている。該保護シート２の長さをＬａ、幅をＬｂとし、Ｌａ＞Ｌｂとしている。
【００１９】
保護シート２は長さ方向（Ｘ）の一端の幅方向（Ｙ）の中央位置から、長さ方向の所要位置（本実施形態では略中央位置）まで１本の長さ方向の横スリット５を設け、該横スリット５の長さ寸法をｓ１とし、ｓ１＝１／２・Ｌａとしている。該横スリット５の先端に幅方向の両側に向けて図中上下の縦スリット６、７を設けている。即ち、保護シート２には長さ方向の一端から保護シート２の一半側部にＴ字状の切り込みを入れ、横スリット５により保護シート２の半側部２ａを幅方向に２分割している。このように、半側部２ａに幅方向寸法ｓ２の２個の枝線巻付片１０、１１を設け、保護シート２の他半側部２ｂからなる１つの幹線巻付片１２を設け、合計３つの巻付片１０、１１、１２を設けている。枝線巻付片１０、１１は長さがｓ１、幅がｓ２であり、幹線巻付片１２は長さがｓ１で幅が２ｓ２（Ｌｂ）である。
【００２０】
ワイヤハーネス１の幹線２１から枝線２２、２３がＹ字状に分岐する分岐部Ｐ−１に対して、前記枝線巻付片１０を枝線２２、枝線巻付片１１を枝線２３への巻付片とし、巻付片１２を幹線２１への巻付片としている。
なお、枝線巻付片１０、１１の長さｓ１は、枝線２２、２３の端末まで巻き付ける長さとしてもよく、その場合には枝線２２、２３に他の外装材（粘着テープ、丸チューブ、コルゲートチューブ等）の外装を不要とできる。かつ、枝線２２、２３への巻付長さが相違する場合には、枝線巻付片１０、１１の長さを相違させている。
【００２１】
また、保護シート２の一面（内面）の幅方向の両端縁に長さ方向の全長に接着剤を塗布した接着面８、９を設けている。接着面８は枝線巻付片１０の一端（上端）に延在し、接着面９は枝線巻付片１１の他端（下端）に延在し、幹線巻付片１２の両端に接着面８、９が連続している。これら接着面８、９には剥離シート（図示せず）を貼り付けておくことが好ましい。
【００２２】
前記保護シート２をワイヤハーネス１の幹線２１から２本の枝線２２、２３がＹ字状に分岐した分岐部Ｐ−１に巻き付ける手順について、図３を参照して説明する。
【００２３】
まず、図３（Ａ）に示すように、保護シート２の接着面８、９を上面として作業台（図示せず）上に載置し、該保護シート２上に、ワイヤハーネス１の幹線２１を幹線巻付片１２上に載せると共に、枝線２２を枝線巻付片１０上に、枝線２３を枝線巻付片１１上に載せる。
【００２４】
ついで、図３（Ｂ）に示すように、枝線巻付片１０は幹線巻付片１２と縦スリット６で分離されているため、横スリット５に沿った端縁から枝線２２に巻き付けることができ、巻き付け部分の外面に接着面８を押し当てて固着する。これにより、枝線２２を分岐部Ｐ−１から枝線２２の所要長さ位置まで枝線巻付片１０で全周を覆って保護する。
【００２５】
枝線巻付片１０と接着面８を設けた幅方向の端縁で連続する幹線巻付片１２の幅方向の一方側は、枝線巻付片１０の枝線２２への巻き付け時に連続して内方に折り返された状態となる。よって、幹線２１の電線群のうち、枝線２２へと分岐する電線２１ａに折り返される上側部１２ｂをかぶせ、接着面８を電線２１ａまたは幹線巻付片１２の中央の下側部１２ａに押し当てて接着固定する。
【００２６】
また、図３（Ｃ）に示すように、他方の枝線巻付片１１は幹線巻付片１２と縦スリット７で分離されているため、横スリット５に沿った端縁から枝線２３に巻き付けることができ、巻付部分の外面に接着面９を押し当てて固着し、枝線２３を枝線巻付片１１で巻き付けて保護する。
【００２７】
枝線巻付片１１を枝線２３に巻き付けると、枝線巻付片１１と接着面９を設けた幅方向の端縁で連続する幹線巻付片１２の幅方向の他方側は、枝線巻付片１１の枝線２３への巻き付け時に連続して内方に折り返された状態となる。よって、幹線２１の電線群のうち、枝線２３へと分岐する電線２１ｂに折り返される上側部１２ｃをかぶせ、接着面９を電線２１ｂまたは幹線巻付片１２の中央の下側部１２ａに押し当てて接着固定する。これにより、図３（Ｄ）に示す状態となる。
【００２８】
前記のように、枝線２２に枝線巻付片１０、枝線２３に枝線巻付片１１をそれぞれ巻き付け、巻付状態で接着面８、９で固着する。かつ、図３（Ｄ）に示すように、幹線２１に対しては、電線２１ａを折り返される上側部１２ｂと下側部１２ａで挟み込んで接着面８で固着すると共に、電線２１ｂを折り返される上側部１２ｃと下側部１２ａで挟み込んで接着面９で固着する。
【００２９】
ついで、図３（Ｅ）および（Ｆ）に示すように、幹線巻付片１２を巻き付けた幹線２１は、上側部１２ｂで覆った部分と上側部１２ｃで覆った部分を図３（Ｄ）中に矢印で示すように二つ折りして重ねる。この重ね状態で、接着面８、９を下側部１２ａに貼り合わせた部分は内部側に位置する。この状態で幹線巻付片１２に粘着テープ１８を巻き付ける。該状態で、前記貼り合わせ部は内方に隠れると共に粘着テープ１８で覆われ、隙間が外部に露出することはない。
なお、幹線２１に被せた上側部１２ｂ、１２ｃを折り返して重ねずに、そのままの状態としてもよい。
また、枝線２２、２３に巻き付けた枝線巻付片１０、１１を枝線端末に接続するコネクタの根元位置まで巻き付ける場合は、図示のように、粘着テープで枝線巻付片１０、１１の先端を巻き付けていない。コネクタの根元位置まで枝線巻付片１０、１１の先端が達してない場合は、粘着テープを巻き付けることが好ましい。
【００３０】
最後に、枝線巻付片１０、１１をそれぞれ巻き付けた枝線２２、２３は、幹線巻付片１２を巻き付けた幹線２１に対して、分岐点Ｐ０を支点として、図１に示すように、所要角度θで開いてＹ字状に分岐させる。その際、横スリット５の切り込み先端に縦スリット６、７を設けているため、枝線巻付片１０、１１を分岐点Ｐ０の先端まで、それぞれ枝線２２、２３に巻き込むことができ、分岐点Ｐ０で枝線２２と２３を大きな角度で開いても、分岐点Ｐ０まで枝線巻付片１０、１１が確実に巻き付けられているため隙間はなく、枝線の露出を防止できる。かつ、幹線巻付片１２を巻き付ける幹線２１も、幹線巻付片１２の折り返した上側部１２ｂ、１２ｃを下側部１２ａに分岐点Ｐ０の先端までしっかりと接着しているため、幹線２１を幹線巻付片１２で確実に覆って露出させない。
よって、分岐点Ｐ０に粘着テープを巻き付けて電線群の露出を防止する必要は無いが、横スリット５と縦スリット６、７の交点に当たる分岐点Ｐ０に粘着テープ１９を巻き付けてスリット５〜７の亀裂を防止している。
【００３１】
前記のように、１枚の矩形状の保護シート２に、横スリット５の先端に縦スリット６、７を連続させてＴ字状のきり込みを設け、枝線２２、２３に巻き付ける枝線巻付片１０、１１と幹線２１に巻き付ける幹線巻付片１２とを分離しているため、枝線２２、２３に枝線巻付片１０、１１を分岐点Ｐ０まで保護シートに捩れを発生させずに巻き付けることができる。かつ、枝線２２、２３、幹線２１にそれぞれ枝線巻付片１０、１１、幹線巻付片１２を巻き付けた後に、分岐点Ｐ０を支点として枝線２２、２３を所要角度に広げても、前記縦スリット６、７があるため、保護シート２に捩れを発生させずに枝線を屈曲でき、かつ、所要角度に広げても分岐点Ｐ０に電線が露出する隙間が発生しない。
【００３２】
図４（Ａ）（Ｂ）に第１変形例を示す。
該第１変形例では、Ｔ字状の分岐部Ｐ−２を保護シート２で覆って保護している。
Ｔ字状の分岐部Ｐ−２では、前記第１実施形態の枝線２２、２３の一方、例えば、枝線２２が分岐位置を挟んで幹線２１と連続する幹線２１−Ａとなり、該幹線２１−Ａを枝線巻付片１０に載せて、第１実施形態の枝線２２と同様に枝線巻付片１０を巻き付ける。
巻き付け後に、巻付片１２、１１を巻き付けて連続させた幹線２１と２１−Ａの分岐部Ｐ−２から、前記幹線と垂直方向に枝線巻付片１１を巻き付けた枝線２３を突出させている。これにより、Ｔ字状の分岐部Ｐ−２に保護シート２を巻き付けて、電線の露出なく保護している。
【００３３】
図５に第２変形例を示す。
第２変形例は、幹線２１からＹ字状に分岐する枝線２２、２３の太さが相違し、枝線２２は枝線２３より太い。また、保護シート２で保護する領域の長さが相違し、枝線２２の枝線巻付片１０の長は枝線２３の枝線巻付片１１より長い。
第２変形例の保護シート２では、横スリット５を入れる位置を相違させ、枝線２２に巻き付ける枝線巻付片１０の幅を枝線２３に巻き付ける枝線巻付片１１の幅より大とし、かつ、枝線巻付片１０の長さを枝線巻付片１１より長くしている。
枝線巻付片１０、１１、幹線巻付片１２の枝線２２、２３、幹線２１への巻き付け手順および作用効果は第１実施形態と同様であるため、説明を省略する。
【００３４】
図６に第３変形例を示す。
第３変形例は、保護シート２の縦スリット６、７の先端に小径の丸穴６ｈ、７ｈを設け、スリット先端からの亀裂発生を予防している。他の構成および保護シートの分岐部への巻き付け手順は実施形態と同様であるため説明を省略する。
【符号の説明】
【００３５】
１ ワイヤハーネス
２ 保護シート
５  横スリット
６、７  縦スリット
８、９  接着面
１０、１１  枝線巻付片
１２  幹線巻付片
１８、１９  粘着テープ 
２２、２３  枝線
【図１】
2014204464.tif 000003
【図２】
2014204464.tif 000004
【図３】
2014204464.tif 000005
【図４】
2014204464.tif 000006
【図５】
2014204464.tif 000007
【図６】
2014204464.tif 000008
【図７】
2014204464.tif 000009
【図８】
2014204464.tif 000010
【図９】
2014204464.tif 000011